(57)【要約】【課題】展示作業の省略化及び効率化を図り、安全性を確保し、機能や付加価値を付与する。【解決手段】外部に配信される所定の情報を読み取る情報読み取り手段と、所定の情報に関連する書誌情報が記載される領域を指定する領域指定手段と、領域指定手段によって指定された領域を読み取る領域読み取り手段と、読み取られた所定の情報と書誌情報とを配信する配信手段と、配信された所定の情報を表示する表示手段と、を含む。【選択図】図９
2014044666.tif 000002
【特許請求の範囲】
【請求項１】
外部に配信される所定の情報を読み取る情報読み取り手段と、
前記所定の情報に関連する書誌情報が記載される領域を指定する領域指定手段と、
前記領域指定手段によって指定された領域を読み取る領域読み取り手段と、
前記読み取られた所定の情報と書誌情報とを配信する配信手段と、
前記配信された所定の情報を表示する表示手段と、
を含むことを特徴とする情報掲示システム。
【請求項２】
前記読み取られた領域に前記書誌情報を入力する入力手段を含み、前記入力手段によって入力された書誌情報は、前記読み取られた領域に記載されることを特徴とする請求項１に記載の情報掲示システム。
【請求項３】
前記表示手段は複数存在すると共に、前記表示手段のそれぞれには、各々を識別するための識別子が割り振られており、前記複数存在する表示手段の中から、前記所定の情報を表示する表示手段を、前記識別子を用いて指定する指定手段をさらに含むことを特徴とする請求項１又は２に記載の情報掲示システム。
【請求項４】
前記所定の情報を見本として表示する見本表示手段をさらに含み、前記所定の情報を、前記見本表示手段と前記表示手段との何れに表示させるかを選択する選択手段をさらに含むことを特徴とする請求項１から３の何れか１項に記載の情報掲示システム。
【請求項５】
前記識別子は前記表示手段の略全体の領域に表示され、前記表示手段に前記所定の情報が表示されると、前記識別子は前記所定の情報に上書きされることを特徴とする請求項３又は４に記載の情報掲示システム。
【請求項６】
前記識別子は前記表示手段の一部の領域に常時表示されることを特徴とする請求項３又は４に記載の情報掲示システム。
【請求項７】
前記表示手段は表示領域が複数の領域に分割されており、前記所定の情報は、前記分割されたそれぞれの領域又は前記分割された複数の領域に跨って表示されることを特徴とする請求項１から６の何れか１項に記載の情報掲示システム。
【請求項８】
所定の情報を掲示する情報掲示システムを制御する制御方法であって、
情報読み取り手段が、外部に配信される前記所定の情報を読み取る工程と、
領域指定手段が、前記所定の情報に関連する書誌情報が記載される領域を指定する工程と、
領域読み取り手段が、前記領域を指定する工程によって指定された領域を読み取る工程と、
配信手段が、前記読み取られた所定の情報と書誌情報とを配信する工程と、
表示手段が、前記配信された所定の情報を表示する工程と、
を含むことを特徴とする制御方法。
【請求項９】
所定の情報を掲示する情報掲示システムのコンピュータにより実行可能なプログラムであって、
情報読み取り手段が、外部に配信される前記所定の情報を読み取る処理と、
領域指定手段が、前記所定の情報に関連する書誌情報が記載される領域を指定する処理と、
領域読み取り手段が、前記領域を指定する処理によって指定された領域を読み取る処理と、
配信手段が、前記読み取られた所定の情報と書誌情報とを配信する処理と、
表示手段が、前記配信された所定の情報を表示する処理と、
を含むことを特徴とするプログラム。
【発明の詳細な説明】
【技術分野】
【０００１】
本発明は、情報掲示システム、その制御方法、及びプログラムに関する。
【背景技術】
【０００２】
従来、手描きの図画や毛筆書等の保管は、作品自体を保管するか、一般的な光学カメラによって撮影し、その映像を記録する程度の保管方法しかなかった。作品そのものを保管する場合、その素材によっては保存が効かず長期間に亘って保管することが困難であったり、又は複数保管するための十分なスペースがなかったりするため、保管そのものを諦めざるを得なかった。
【０００３】
特許文献１には、幼児又は児童の図画や書画作品を、デジタルカメラやスキャナ等によりデジタルデータに変換して、ＣＤ（Compact Disk）等の媒体に記録保存する技術が開示されている。より詳しくは、作品のデジタル化されたデータの保存に際し、必要に応じ、文字情報、音声情報、動画データ、３次元デジタイザによる３次元情報等も一緒に記録できることも記載されている。さらに、デジタル化された作品データをＣＤ媒体に記録し、配布するだけでなく、ＨＴＭＬ（Hyper Text Markup Language）等のコンテンツ形式に仕立て、ネットワーク経由で閲覧できることも開示されている。
【発明の概要】
【発明が解決しようとする課題】
【０００４】
しかしながら、特許文献１に開示された仕組みは、利用の主体が個人ベースであり、また、展示作品の取扱いについても、あくまで個人の作品を専らどのように保存又は保管するか等の点に観点が向けられたものであり、学校の教育活動やカルチャースクールの創作活動等による成果物全般に関わる改善や効率化に主眼が向けられたものではない。
【０００５】
すなわち、例えば、学校において、児童の教育活動の一環として製作される書画等の創作作品を、教室の壁等に展示することは、日常的に行われていることである。同時に、作品創作の度毎に置き換えや張り替え作業が発生するため、煩雑なものとなっている。また、作業には、高所における作業も含まれることもあり、この場合、転落防止といった安全面での配慮も要求されている。また、一度、置き換えや張り替えが行われてしまった作品は、基本的に各家庭に持ち帰られてしまうので、再び展示され、鑑賞に供されるといったことは皆無であるという事実も存在する。
【０００６】
そこで、本発明は、上記従来の問題点に鑑みてなされたもので、教育活動や創作活動の一環として製作される創作作品の展示において、展示作業の省略化及び効率化を図ると共に、安全性も確保され、従来の作品展示では行われなかった機能や付加価値を付与する情報掲示システム、その制御方法、及びプログラムを提供することを目的とする。
【課題を解決するための手段】
【０００７】
上記課題を解決するため、請求項１に記載の本発明における情報掲示システムは、外部に配信される所定の情報を読み取る情報読み取り手段と、前記所定の情報に関連する書誌情報が記載される領域を指定する領域指定手段と、前記領域指定手段によって指定された領域を読み取る領域読み取り手段と、前記読み取られた所定の情報と書誌情報とを配信する配信手段と、前記配信された所定の情報を表示する表示手段と、を含むことを特徴とする。
【発明の効果】
【０００８】
本発明によれば、教育活動や創作活動の一環として製作される創作作品の展示において、展示作業の省略化及び効率化を図ることができると共に、安全性も確保され、従来の作品展示ではなされなかった機能や付加価値を付与することが可能な情報掲示システム、その制御方法、及びプログラムを提供することができる。
【図面の簡単な説明】
【０００９】
【図１】本発明の第１の実施形態における情報掲示システムの構成を示すブロック図である。
【図２】本発明の第１の実施形態における情報掲示システムに係る画像形成装置の一例を示す概略図である。
【図３】本発明の第１の実施形態における情報掲示システムに係る画像形成装置の制御部のハードウェア構成の一例を示す概略図である。
【図４】本発明の第１の実施形態における情報掲示システムに係る画像形成装置の動作時にタッチパネルに表示されるメニュー画面の例を示す図である。
【図５】本発明の第１の実施形態における情報掲示システムに係る画像形成装置の動作時にタッチパネルに表示されるメニュー画面の例を示す図である。
【図６】本発明の第１の実施形態における情報掲示システムに係る画像形成装置の動作時にタッチパネルに表示されるメニュー画面の例を示す図である。
【図７】本発明の第１の実施形態における情報掲示システムに係る展示機能処理に関わる管理データファイルの例である。
【図８】本発明の第１の実施形態における情報掲示システムに係る、（Ａ）コマンドシート、と、（Ｂ）展示作品の例、を表す図である。
【図９】本発明の第１の実施形態における情報掲示システムに係る作品展示用に配置される作品展示手段（電子ペーパ）群の例である。
【図１０】本発明の第１の実施形態における情報掲示システムに係る画像形成装置の動作時にタッチパネルに表示されるコマンドシート解析結果の例を示す図である。
【図１１】本発明の第１の実施形態における情報掲示システムに係る見本表示のイメージ表示例を示す図である。
【図１２】本発明の第１の実施形態における情報掲示システムの動作を説明するための処理の流れ図である。
【図１３】本発明の第２の実施形態における情報掲示システムの構成を示すブロック図である。
【図１４】本発明の第２の実施形態における情報掲示システムに係る作品展示手段自身のＩＤの表示の例を示す図である。
【図１５】本発明の第２の実施形態における情報掲示システムに係る作品展示手段自身のＩＤの表示の別の例を示す図である。
【図１６】本発明の第３の実施形態における情報掲示システムの構成を示すブロック図である。
【図１７】本発明の第３の実施形態における情報掲示システムに係るセグメントに分割された作品展示手段による展示例を示す図である。
【図１８】本発明の第４の実施形態における情報掲示システムの構成を示すブロック図である。
【図１９】本発明の第４の実施形態における情報掲示システムに係るレイアウト登録用コマンドシートの例である。
【図２０】本発明の第４の実施形態における情報掲示システムに係る生成されたコマンドシートのテンプレートの例である。
【図２１】本発明の第４の実施形態における情報掲示システムの動作を説明するための処理の流れ図である。
【図２２】本発明の第４の実施形態における情報掲示システムに係るプリントアウトされたレイアウトテンプレート付きコマンドシートの例である。
【図２３】本発明の第４の実施形態における情報掲示システムに係るレイアウトテンプレートを利用したコマンドシートの例である。
【図２４】本発明の第４の実施形態における情報掲示システムに係るレイアウトテンプレートを利用した２次テンプレートの例である。
【図２５】本発明の第５の実施形態における情報掲示システムに係るコマンドシートの例である。
【図２６】本発明の第６の実施形態における情報掲示システムに係るコマンドシートやファイルシステムの例である。
【発明を実施するための形態】
【００１０】
次に、本発明を実施するための形態について図面を参照して詳細に説明する。なお、各図中、同一又は相当する部分には同一の符号を付しており、その重複説明は適宜に簡略化乃至省略する。
【００１１】
本発明の実施形態における情報掲示システム１について、図１を用いて説明する。図１は、本発明の第１の実施形態における情報掲示システムの構成を示すブロック図である。図１において、情報掲示システム１は、画像形成装置１００と、書誌情報が記載される領域であるコマンドシート１５を指定する領域指定手段２と、所定の情報を表示する電子ペーパ４００に代表される表示手段６とから構成されている。
【００１２】
コマンドシートは、画像形成装置１００が認識可能なマーカにより、所定の情報を提供するエリアであることを示し、少なくとも１個以上の囲み線や対角線等の線画及び所定の情報を提供するエリア内に記述された書誌情報が記されたエリア指定シートと呼ばれる毎葉紙等のシート状媒体である。また、電子ペーパ４００は、少なくとも１つ以上存在し、画像形成装置１００の配信手段５を構成する無線ＬＡＮ２１３と有線又は無線によって通信可能であり、学校の教室の壁等、専ら展示又は掲示に充てられる部材に半固定的に配置され、配信された展示用画像データを受け取り、壁掛け型電子ペーパ４００等に表示するものである。
【００１３】
また、画像形成装置１００は、コマンドシート１５と所定の情報であるユーザの原稿又は作品を光学的に順次走査することにより画像データを得る読み取りスキャナ１１０に代表される情報読み取り手段３と、入力された画像データがコマンドシート１５の読み取りデータである場合、コマンドシート１５の指定エリアに記述された書誌情報を抽出及び解析する制御部２０内のコマンドシート解析手段４と、入力されたユーザの原稿又は作品の展示用画像データを、対応するコマンドシート１５から抽出及び解析された書誌情報に基づいて、指定された電子ペーパ４００に配信する無線ＬＡＮ２１３に代表される配信手段５と、コマンドシート１５を利用した展示処理を行うか否かの設定動作や、関連した処理を行うために必要なパラメータやデータ等の各種設定等の指定を行う展示処理指定手段７であるタッチパネル１１５と、タッチパネル１１５において、展示処理機能が有効に設定された時、コマンドシート１５とユーザの原稿又は作品を読み取りスキャナ１１０により読み取り、読み取られたものがコマンドシート１５である場合、コマンドシート１５の指定エリアに記述された書誌情報を抽出及び解析し、解析された提供情報に基づき、指定された電子ペーパ４００へ配信することにより、ユーザの原稿又は作品の画像データを表示させ、掲示に供するよう制御する制御手段たる制御部２０と、から構成されている。
【００１４】
次に、情報掲示システム１を構成する画像形成装置１００の基本構成について説明する。図２は、本発明の第１の実施形態における情報掲示システムに係る画像形成装置の一例を示す概略図である。
【００１５】
図２において、画像形成装置１００は、装置本体の内部に、マスタ１０７が外周面に巻着される印刷ドラム１０１と、印圧手段であるプレスローラ１０２と、製版装置であるプロッタ１０３と、排版手段１０４と、を有し、装置本体の右側に配置された給紙手段１０５から給紙される記録紙１０６が、プレスローラ１０２で印刷ドラム１０１に押し当てられることにより、巻着されたマスタ１０７の画像が記録紙１０６に転写される。
【００１６】
片面印刷の場合、画像転写された記録紙１０６は、搬送手段１０８によって装置本体の左側に配置された排紙手段１０９へと搬送される。また、両面印刷の場合、片面の印刷が終了した記録紙は、切替部材１２１によって再給紙手段１２２に導かれ、再び給紙されることにより裏面に印刷が行われるような周知の構成を採る。
【００１７】
さらに、孔版方式による画像形成経路中、すなわち、用紙搬送経路中には、インクジェットユニット１５０が配置されている。装置本体の上部には、カラースキャナ１１０が配置されており、原稿画像が読み取られ、製版に用いられる画像データが取得される。
【００１８】
装置本体の上部正面には、画像形成装置１００の操作部となる操作パネル１１１が配設されている。操作パネル１１１には、印刷や製版の切り替えキー１１３、スタートキー１１４、表示部１１５、初期設定及びプリンタ設定キー１１６、印刷位置調整キー１１７、及びプリントスピード設定キー１１８等が配置されている。
【００１９】
表示部１１５は、ＬＣＤ（Liquid Crystal Display）のタッチパネルで構成されており、その画面には、各種案内情報や各種操作画面が適宜表示され、操作画面がユーザ又は装置操作者によって操作されると、各画面に表示されたスイッチに対応した内容が、制御部２０や画像形成装置１００に設定される。
【００２０】
装置本体内には、画像形成装置１００の各部を制御する制御部２０が配置されている。ここで、制御部２０について図３を用いて説明する。図３は、本発明の第１の実施形態における情報掲示システムに係る画像形成装置の制御部のハードウェア構成の一例を示す概略図である。
【００２１】
図３に示すように、制御部２０は、実装基板となるＡＣＵ２００（Application Control Unit）とＥＣＵ（Engine Control Unit）３００との２つに大きく分かれている。
【００２２】
ＡＣＵ２００は、画像形成装置１００の操作パネル１１１が接続される操作パネル用Ｉ／Ｆ（Inter/Face）２０５と、携帯型大容量記憶メディアであるＳＤ（Secure Digital）メモリーカード２０１やＵＳＢ（Universal Serial Bus）メモリ２０３等が接続されるインタフェース（ＳＤ  Ｉ／Ｆ２０６、ＵＳＢ  Ｉ／Ｆ２０９Ｂ）と、大容量記憶装置となるハードディスク（以下、「ＨＤＤ（Hard Disk Drive）」と称す。）２０７が接続されるＨＤＤ  Ｉ／Ｆ２０８と、パソコン等の情報端末に対しＬＡＮ（Local Area Network）やインターネット等のネットワークを介してアクセスするためのＮＩＣ（Network Interface Card）２０２と、無縁ＬＡＮカード２１３を接続するための通信Ｉ／Ｆ（ＮＩＣ  Ｉ／Ｆ２１２、無線ＬＡＮ  Ｉ／Ｆ２１４）と、無給電画像表示装置である電子ペーパ４００を接続するためのＩ／Ｏ（Input/Output）Ｉ／Ｆ２２１と、ＦＡＸモジュールを接続するためのＦＡＸ  Ｉ／Ｆ２２２と、ＥＣＵ３００が接続されるＥＣＵ  Ｉ／Ｆ２１５と、中央演算回路であるＣＰＵ（Central Processing Unit）２１６と、記憶手段であるＲＡＭ（Random Access Memory）２１８と、ＲＯＭ（Read Only Memory）２１７とが、ＡＳＩＣ２２０（Application Specific Integrated Circuit）に接続されている。
【００２３】
ＡＣＵ２００は、画像形成装置１００の製版及び蓄積の制御等を行い、読み取りスキャナ１１０（図２）又はネットワーク経由で転送されてくる文書を蓄積文書としてＨＤＤ２０７に蓄積したり、読み取りスキャナ１１０又はＨＤＤ２０７に蓄積された文書、又はネットワーク経由で転送された文書データから、最終的に製版データを作成したりした後、ＥＣＵ３００に転送するという働きを受け持ち、本発明の主たる機能は、このＡＣＵ２００に帰属している。
【００２４】
ＥＣＵ３００は、中央演算回路であるＣＰＵ３２１と、記憶手段であるＲＡＭ３２２及びＲＯＭ３２３と、ＡＣＵ２００のＥＣＵ  Ｉ／Ｆ２１５と接続されるＡＣＵ  Ｉ／Ｆ３２４と、スキャナ１１０が接続されるスキャナＩ／Ｆ３２６と、画像の像域分離や各種画像補正を行うＩＰＰ（Image Pre-Processor）３２５と、プロッタ１０３が接続されるプロッタＩ／Ｆ３２８と、インクジェットユニット１５０が接続されるインクジェットＩ／Ｆ１５１とが、それぞれＡＳＩＣ３２９に接続されている。
【００２５】
ＥＣＵ３００は、ＡＣＵ２００により作成された製版データを基に、プロッタ１０３により、周知の孔版原紙となるマスタの感熱孔版フィルムに、熱的プロセスによって穿孔が行われることにより、製版済みのマスタが作成される。この製版済みのマスタ１０７は、印刷ドラム１０１となる版胴の外周面に巻装され、ドラム内部に設置されたインキパック１２０から、インキが供給されながら印刷ドラム１０１が回転され、それに呼応するように印刷用紙である記録紙１０６が給紙されることにより、印刷物たる印刷成果物が得られる。
【００２６】
この一連のデジタル式の画像形成装置１００の製版から印刷に至る動作全般を制御すると共に、ＡＣＵ２００により作成された画像データが、インクジェットモジュールに送り込まれ、孔版方式による画像形成と呼応させながら、インクジェット方式による画像形成をなすように制御されるのである。なお、ハイブリッド画像形成装置１００を構成するインクジェットユニットは、主走査方向長の画像形成領域が１つのインクジェットヘッドでカバーされ、ヘッドが固定されたフルライン型ヘッドと、インクジェットヘッド長が主走査方向長よりも短く、ヘッドが主走査方向に走査されることにより、主走査方向の画像形成が行われるシャトル型ヘッドの何れのものでも構わない。
【００２７】
次に、本発明の第１の実施形態における画像形成装置の動作時にタッチパネルに表示されるメニュー画面の例について説明する。図４から図６は、本発明の第１の実施形態における情報掲示システムに係る画像形成装置の動作時にタッチパネルに表示されるメニュー画面の例を示す図である。
【００２８】
まず、画像形成装置１００本体のタッチパネル１１５において、図４から図６に示されるような展示処理機能に関する各種設定が予めなされているものとする。より詳細に説明すると、例として、図４のようなメインメニューから、「編集」項目が選択されることにより、図５に示される各種編集機能を設定するためのサブメニューが表示される。
【００２９】
図５において、「展示機能」項目の仮想ボタンが選択されると、図６に示されるサブメニューがさらに表示される。展示機能においては、「エリア指定方法」として“囲み線”を使用し、「マーカ指定方法」として、“モノクロマーカ”を使用する指定が行われている。また、動作モードとして“展示データ転送”、見本表示を“する”に指定されている。
【００３０】
なお、図６における“展示デバイス管理”項目の仮想ボタンを選択することにより、さらに図示しないサブメニューが表示され、ここにおいて、作品展示手段として使用される作品展示用デバイスである電子ペーパの登録、表示デバイスと識別子（ＩＤ：Identification）との対応付け、及び見本表示用デバイスの指定がなされる。本実施の形態では、これらの設定は予めなされているものとする。
【００３１】
次に、展示機能の処理に使用される管理ファイルの例について説明する。ちなみに、図７に展示機能の処理に使用される展示機能管理ファイルの例を示す。図７は、本発明の第１の実施形態における情報掲示システムに係る展示機能処理に関わる管理データファイルの例である。このファイルには、各デバイスのエントリ情報（＜ｄｅｖｉｃｅ＞タグ以下）や、コマンドシートに記述される情報のうち、展示機能処理に関連する属性項目（＜ｃｏｍｍａｎｄ＞タグ以下）についての情報が格納されている。
【００３２】
次に、情報掲示システムに係るコマンドシートと展示作品、及び作品展示用に配置される電子ペーパについて図８及び図９を用いて説明する。図８は、本発明の第１の実施形態における情報掲示システムに係る、（Ａ）コマンドシート、と、（Ｂ）展示作品の例、を表す図であり、図９は、本発明の第１の実施形態における情報掲示システムに係る作品展示用に配置される作品展示手段（電子ペーパ）群の例である。
【００３３】
電子ペーパ４００は、図９に示すように、教室の壁等にあたかも額縁又はピンナップのように配置され、デバイスのＩＤは、それを記したラベルやシールがデバイス自体に目視できるように貼付され（図９の符号Ａ）、ユーザがそれらを容易に視認し、指定できるようになっている。また、見本表示用デバイスとして、図１１に示すように、画像形成装置１００のフロントカバーに取り付けられている外装型の電子ペーパ４００が指定されている。図１１は、本発明の第１の実施形態における情報掲示システムに係る見本表示のイメージ表示例を示す図である。
【００３４】
このような設定がなされた情報掲示システム１の制御について、図１２を用いて説明する。図１２は、本発明の第１の実施形態における情報掲示システムの動作を説明するための処理の流れ図である。操作者であるユーザによって、情報掲示システム１の固定原稿台又は自動原稿送り装置（ＡＤＦ：Auto Document Feeder）に、コマンドシートと展示作品となる原稿がセットされた後、製版スタートキーが押下されると（図１２  ＳＴ１）、まず、図８（Ａ）に示されるようなコマンドシート１５が読み取られる（ＳＴ２）。
【００３５】
このコマンドシート１５は、図８（Ａ）に示すように、展示位置、学年、組、名前、コメントなどの書誌情報を記述するための囲み枠で囲まれたマーカ指定エリアが描画されたテンプレートとなっており、ユーザ分（例えば、クラスの生徒全員分）コピーされたものになっている。そして、このコマンドシート１５のテンプレートに、ユーザによって必要な箇所（展示位置、氏名、コメント）が追記される。なお、展示処理の場合、マーカ指定エリア外は、何が記載されていても無視されるので、本実施形態では、展示位置を記入する上での注意書きを記載する欄として使用している。
【００３６】
制御部２０（図１）は、マーカ指定エリアの位置やエリアサイズのデータを抽出すると共に、マーカ指定エリア内に記された命令、識別コード、又は指定項目等をＯＣＲ（Optical Character Reader）等によってテキストデータ化し、マーカ指定エリア情報を抽出する（ＳＴ３）。
【００３７】
コマンドシート１５を読み取った制御部２０は、マーカ指定エリアに記述された文字の意味を解析し（ＳＴ４）、解析結果をタッチパネル１１５に表示し（ＳＴ５）、ユーザに対して確認入力を促す（ＳＴ６）。コマンドシート１５を解析した結果は、情報掲示システム１のタッチパネル１１５上に、図１０に例示したような表示でなされるので、ユーザは解析された結果が、目的とする展示のために必要なデータとなっているかどうかを確認することができる。図１０は、本発明の第１の実施形態における情報掲示システムに係る画像形成装置の動作時にタッチパネルに表示されるコマンドシート解析結果の例を示す図である。
【００３８】
制御部２０は、解析の結果、表示された抽出情報に対し、ユーザによってＯＫの入力がなされた場合（ＳＴ６、ＳＴ７）、引き続き、ＡＤＦ又は原稿台にセットされている創作作品、本実施形態では、図８（Ｂ）に例示される創作作品１６が読み取られる（ＳＴ８）。また、この場合、創作作品の種類（例えば、習字又は水彩画等）に応じた読み取りモード（例えば、習字モード又は水彩画モード）を、タッチパネル１１５の図示しないメニューで予め設定しておくことにより、展示作品をより適切な形で取り込むことができる。
【００３９】
その後、コマンドシート１５から抽出された情報と、展示作品データとから、展示用の表示画像データの生成が行われ（ＳＴ９）、さらに、見本の表示を行う旨の指定がなされている場合（ＳＴ１０）、見本表示用デバイスに生成された展示用画像データが表示される（ＳＴ１１）。図１１に、見本表示された例を示す。そして、コマンドシート１５の読み取り時と同様にユーザに対して確認入力が促され（ＳＴ１２）、ユーザによってＯＫの入力がなされた場合（ＳＴ１３）、指定された電子ペーパ４００に対して展示用画像データが転送され（ＳＴ１４）、展示用画像データを受理した電子ペーパ４００により展示用画像データが表示される。
【００４０】
このようにして展示された展示作品の例を図９に示す。本実施形態では、作品展示用デバイスとして電子ペーパ４００を採用しているため、画像の書き込み時や消去時に電力を消費するものの、画像表示し続けること自体には電力を消費しないので、長期間の展示に適したものとなっている。しかしながら、電力をまったく消費しないわけではないので、給電システムが必要となる。壁掛け等という定常的な展示及びその数が多数に及ぶことを考慮すると、給電の度に取り外したり給電作業を行ったりするのは実用的ではない。そこで、太陽電池方式やワイヤレス給電方式等、メンテナンスフリー又はメンテナンスの作業負荷が小さい方式の電子ペーパ４００を採用する。
【００４１】
また、本実施形態では、モノクロのマーカによるエリア指定の例であり、属性項目の表示又は非表示等の指定は、展示機能管理ファイルに依存していたが、カラーマーカを使ったコマンドシート１５において、カラーマーカの種類により、マーキングされた領域の電子ペーパ４００に対する表示又は非表示を決定するような方法をとっても良く、本実施形態に限定されるものではない。
【００４２】
さらに、本実施形態では、学校等の教育機関における展示システムの利用を想定しているが、電子ペーパ４００には、通常、複数の表示可能な電子ファイルが格納されていることが多いので、全学年全組の生徒の安全確認リストを格納させておき、災害時又は防災訓練の避難行動時に、電子ペーパ４００を１枚持ち出せば、逐一在籍生徒のリストを印刷する手間を経ることなく、即座に安全確認チェックに利用することができるという使用方法も考えられ、複数の役割又は責務を負わせることができる。
【００４３】
次に、第２の実施形態について説明する。なお、第１の実施形態と同一又は同様の部分は同一符号で示し、特に必要がない限り既に説明した構成上及び機能上の説明は省略して、要部のみ説明する（以下、他の実施形態において同様である。）。第１の実施形態では、ユーザに対して電子ペーパ４００のＩＤを識別するために提供される方法は、図９に示したように、電子ペーパ４００に貼付されたラベルやシールによってなされていた（図９の符号Ａ）。図１３は、本発明の第２の実施形態における情報掲示システムの構成を示すブロック図である。
【００４４】
図１３では、第１の実施形態に加えて、電子ペーパ４００が、デフォルト状態又は有効な表示画像が存在しない場合において、電子ペーパ４００自身を識別するＩＤを、電子ペーパ４００の画像表示エリアの略全体に表示する、又はＩＤを画像表示エリアの一部に常時表示することが可能な電子ペーパ４００を有する構成となっている。これにより、情報掲示システムによる作品展示位置指定に際し、ユーザに対してＩＤを閲覧させている。
【００４５】
例えば、図１４に示す例では、デフォルト状態又は有効な表示画像が存在しない場合、電子ペーパ４００のＩＤを、画像表示エリアの略全体に表示しており（図１４の符号Ａ）、電子ペーパ４００に、展示用画像データが転送された場合、画像データによって上書きされる。なお、電子ペーパ４００に展示用画像データが表示されている間は、ＩＤが提示されていないため、展示用画像データを書き換える際、ユーザは電子ペーパ４００のＩＤを確認することができない。この場合、電子ペーパ４００の直接操作、又は画像形成装置１００からのコマンド転送により、電子ペーパ４００の表示をＩＤ表示状態であるデフォルト状態に戻したり、ＩＤのようなコマンドで指定したものを表示させたりすること等により、再度ＩＤが提示されるようになる。
【００４６】
このような場合、ＩＤの提示のため、画像形成装置１００から電子ペーパ４００に対して、ＩＤを画像化した画像データを転送して表示させるという方法も考えられるが、ＩＤ分の表示画像を用意する必要があることや、画像データを転送するよりもコマンドを転送する方がより効率的であるとの見地から採用していない。このような仕組みが提供されることにより、第１の実施形態のように、電子ペーパ４００に対する手作業によるラベリングの手間が不要となり、情報掲示システム１の展示処理機能をより効率的に利用及び運用することができる。
【００４７】
さらに、図１５に示す例では、ＩＤを電子ペーパ４００の画像表示エリアの一部に常時表示させている（図１５の符号Ａ）。図１５は、本発明の第２の実施形態における情報掲示システムに係る作品展示手段自身のＩＤの表示の別の例を示す図である。この場合、ユーザが利用できる表示領域は、ＩＤを表示するため、一部の領域が制限される。しかし、上述した例のようにＩＤを再表示させるための操作又は作業が不要になるので、展示位置の指定がさらに容易となり、情報掲示システム１の展示機能をより効率的に利用及び運用することができる。
【００４８】
次に、第３の実施形態について説明する。本実施形態の情報掲示システム１を、図１６に示す。図１６は、本発明の第３の実施形態における情報掲示システムの構成を示すブロック図である。
【００４９】
第１の実施形態に加えて、電子ペーパ４００は、少なくともＡ３サイズ以上の表示が可能である。すなわち、複数のセグメントに分割された領域に跨ってＡ３サイズの表示が可能である。また、電子ペーパ４００の画像表示エリアを複数のセグメントに分割して表示可能である。さらに、それらを分割して表示制御可能である電子ペーパ４００を有する構成になっており、情報掲示システム１は、展示用画像データ配信に際して、仮想的に独立した電子ペーパ４００として指定及び配信できるようになっている。
【００５０】
これまでの実施形態では、電子ペーパ４００は、Ａ４サイズ大であり、また、展示用画像データと電子ペーパ４００とは、１対１の関係にあった。しかしながら、技術の進歩により、より大型の電子ペーパ４００の製作が可能になると、多数の小さなサイズの電子ペーパ４００から構成される展示システムではなく、より少数の大きなサイズの電子ペーパ４００から構成される作品展示システムの構築の方が有利となる。
【００５１】
それは、電子ペーパ４００の壁掛け作業等の設置作業や設定作業がより省力化されるだけでなく、表示デバイスの故障や置き換えによる掛け替え作業等、メンテナンス作業に関わる負荷も低減され、何よりも単位面積当たりの単価が小さくなるため、安価にシステム構築することができるからである。
【００５２】
本実施形態では、図１７に示すように、電子ペーパ４００の表示領域を２つのセグメント（Ａ４サイズ×２）に分割し、独立に表示及び制御可能なＡ３サイズ大のデバイスを採用し、作品展示システムとして利用している。図１７は、本発明の第３の実施形態における情報掲示システムに係るセグメントに分割された電子ペーパ４００よる展示例を示す図である。なお、展示位置指定用にこれまで使用されてきたデバイスのＩＤに代えて、作品展示システム内部で等価的な仮想の２つのＩＤを表示するよう変更する必要がある。
【００５３】
一方、分割された表示領域であるセグメントは、仮想的に独立した電子ペーパ４００として機能するので、ユーザ側からすれば、従前と同様に展示位置指定を行えば良い。すなわち、作品展示システムの内部的な構造や制御の仕組みを把握する必要がないため、ユーザフレンドリな作品展示システムとすることができる。
【００５４】
次に、第４の実施形態について説明する。本実施形態の情報掲示システム１を、図１８に示す。図１８は、本発明の第４の実施形態における情報掲示システムの構成を示すブロック図である。
【００５５】
第１の実施形態に示した構成に加え、コマンドシート１５や制御部２０は、電子ペーパ４００の空間的な位置と電子ペーパ４００のＩＤとの関連付けを行い、コマンドシート１５のテンプレートとして利用可能なレイアウト図等の形で具現化する。また、制御部２０、タッチパネル１１５、及び内蔵ＨＤＤ（Hard Disk Drive）２０７に代表される展示レイアウト管理手段１２は、コマンドシート１５や制御部２０により生成された展示レイアウトを、情報掲示システム１内の大容量記憶装置等に保存又は登録し、登録された展示レイアウトを削除したり修正したりすることが可能である。さらに、読み取られた所定の情報を配信する配信手段５は、登録された展示レイアウトを、コマンドシート１５のテンプレートとして印刷出力する。
【００５６】
また、コマンドシート１５及び展示処理指定手段７は、印刷出力された展示レイアウトを含むコマンドシート１５のテンプレートに、ユーザが所定の書誌情報を書き込んだコマンドシート１５を読み取った際に、電子ペーパ４００の指定として展示レイアウトを利用する。制御部２０は、ユーザから電子ペーパ４００の空間的な位置と電子ペーパ４００のＩＤとの関連付けのための情報を取得し、コマンドシート１５のテンプレートとして利用可能なレイアウト図等の形で具現化する。制御部２０、タッチパネル１１５、及び内蔵ＨＤＤ２０７は、生成された展示レイアウトを、情報掲示システム１内の大容量記憶装置等に保存又は登録し、必要に応じて、登録された展示レイアウトの修正、削除を行う。
【００５７】
画像形成装置１００は、ユーザの要求に基づき、登録された展示レイアウトを、コマンドシート１５のテンプレートとして印刷出力する。制御部２０は、印刷出力された展示レイアウトを含むコマンドシート１５のテンプレートに、ユーザが所定の事項を書き込んだコマンドシート１５を読み取った際に、電子ペーパ４００の指定として展示レイアウトを利用するよう制御する。
【００５８】
これまでの実施形態では、展示位置の指定は、コマンドシート１５の指定エリアにＩＤを直接記述していたが、番号の書き間違いや、情報掲示システム１が電子ペーパ４００の見通せる範囲にない場合、逐一ＩＤと展示位置を確認しながら指定しなればならなかった。本実施形態では、展示位置指定において、よりユーザインタフェースやアプライアンスに優れた、ダイアグラム図により指定する方法を示す。
【００５９】
まず、図６で示される画像形成装置１００のタッチパネル１１５画面において、「モード」項目で“レイアウト登録”を選択し、コマンドシート１５として、図１９に示されるような、電子ペーパ４００の空間的な位置とＩＤとの関連付けを記したコマンドシート１５を用意する。図１９は、本発明の第４の実施形態における情報掲示システムに係るレイアウト登録用コマンドシートの例である。なお、コマンドシート１５は手書きであっても、作図アプリケーション等を使ってプリントアウトしたものであっても構わない。
【００６０】
次に、以上説明したような設定がなされた情報掲示システム１の制御について、図２１を用いて説明する。図２１は、本発明の第４の実施形態における情報掲示システムの動作を説明するための処理の流れ図である。
【００６１】
上記の設定と準備をユーザが行った後、画像形成装置１００のスタートキーを押下すると（図２１  ＳＴ１）、画像形成装置１００の原稿台又はＡＤＦにセットされたコマンドシート１５が読み取られる（ＳＴ２からＳＴ５）。制御部２０は、読み取られたコマンドシートデータから、マーカエリア情報を抽出すると共に（ＳＴ６）、抽出した情報を解析し（ＳＴ７）、レイアウトテンプレートを生成する（ＳＴ８）。
【００６２】
さらに、生成されたレイアウトテンプレートが表示デバイスに表示される（ＳＴ９からＳＴ１１）。本実施形態では、表示先のデバイスとして、画像形成装置１００の外装型電子ペーパ４００を指定しており、その出力表示された例を図２０に示す。図２０は、本発明の第４の実施形態における情報掲示システムに係る生成されたコマンドシートのテンプレートの例である。
【００６３】
生成されたレイアウトテンプレートにおいては、「展示位置」属性に“ダイアグラム”が指定されたものとなっており、展示位置を図で指示することを表している。また、展示用デバイスは四角形で表示され、ＩＤが展示用デバイスの配置と共に記されている。なお、本実施形態では、レイアウトテンプレートにＩＤも入れられているが、レイアウト上の位置が特定できれば、ＩＤが自ずと特定できるので、ＩＤの表示自体は必要ではなく、本実施形態に限定されるものではない。
【００６４】
ユーザは、表示されたレイアウトテンプレートを確認し、ＯＫ又はＮＧの判断を行う（ＳＴ１２からＳＴ１４）。特に問題がなければ、レイアウトテンプレートを保存するか否かの処理を行い（ＳＴ１５）、必要に応じて、画像形成装置１００内蔵のＨＤＤ２０７又はＵＳＢメモリ等の携帯型大容量記憶装置に保存する（ＳＴ１６からＳＴ１８）。なお、保存する場合、保存ファイル名や保存先の設定等の前処理が必要となるが、これらの処理は従来の情報掲示システムにおいては良く知られた処理であるので、詳細な説明は省略する。
【００６５】
さらに、この後、レイアウトテンプレートのプリントアウトを行うか否かの処理を行い（ＳＴ１９）、必要に応じて、画像形成プロセス又はインクジェットプロセスの作像エンジンにより印刷が行われる（ＳＴ２０からＳＴ２２）。なお、プリントアウトする場合、用紙サイズや印刷枚数の設定等の前処理が必要となるが、これらの処理は従来の情報掲示システムにおいては良く知られた処理であるので、詳細な説明は省略する。
【００６６】
次に、プリントアウトされたレイアウトテンプレートの例について説明する。図２２は、本発明の第４の実施形態における情報掲示システムに係るプリントアウトされたレイアウトテンプレート付きコマンドシートの例である。このテンプレートを元に、さらに図２３のような書き込みを行うことにより、展示処理機能用のコマンドシート１５として利用することができる。図２３は、本発明の第４の実施形態における情報掲示システムに係るレイアウトテンプレートを利用したコマンドシートの例である。
【００６７】
この場合、展示したい位置の四角形をマーキングすることにより指定することができるので、ユーザにとって分かり易く、ユーザフレンドリなものになる。このコマンドシートを使った展示処理機能については、既に前述した実施形態と同様なものであるため、説明を省略する。なお、図２２に示したレイアウトテンプレート（これを、「１次テンプレート」という。）では、実際の利用において未だ不便な部分があり、図２４に示すように、ユーザによってさらに加筆されたもの（これを、「２次テンプレート」という。）がより実用的である。図２４は、本発明の第４の実施形態における情報掲示システムに係るレイアウトテンプレートを利用した２次テンプレートの例である。
【００６８】
このようにして生成された２次テンプレートは、蓄積文書として登録することにより再利用が可能であり、既存の情報掲示システムの機能を使いこなすことにより、展示処理機能をさらに効率的に利用又は運用することができる。
【００６９】
次に、第５の実施形態について説明する。本実施形態では、制御部２０は、情報掲示システム１から配信可能な複数の電子ペーパ４００を、任意の電子ペーパ４００の集合、学校の教室等物理的な、又は何らかの有意性をもつ展示位置毎の集合のようにグルーピングによる管理が可能である。また、コマンドシート１５の指定エリアにおいて、学年・組等のカテゴライズ可能な属性による指定エリアが存在した場合、グルーピングをカテゴリに括られたグルーブに自動的に振り分け、対応する展示用画像データをグループに帰属する電子ペーパ４００に表示可能であることを特徴としている。
【００７０】
まず、電子ペーパ４００のグルーピングは、任意の数、任意のグループにグルーピングすることが可能であるが、実際は、学校の教室（クラス）やホール等の物理的な展示位置で括られることが多い。これらのグルーピングは、図７に示した展示機能管理ファイルによって実装されており、より詳しくは、図７の＜ｇｒｏｕｐｉｎｇ＞タグが該当する。
【００７１】
タグ内には、グループ（＜ｇｒｏｕｐ＞タグ）毎に、グループ名（＜ｎａｍｅ＞タグ）、グループに属する展示デバイス（＜ｄｅｖｉｃｅｓ＞タグ、＜ｄｅｖ＞タグ）が予め登録されている。なお、この登録は画像形成装置１００のタッチパネル１１５のメニューから登録したり、別途エディタ等で作成したものを画像形成装置１００にロードしたりすることにより、利用可能になっている。本実施形態では、クラス毎のグループの一部（“class６＿３”）と学校のホール（“ｈａｌｌ”）についての例を示している。
【００７２】
これにより、コマンドシート１５の展示位置指定で、図２５（Ａ）に示されるような指定を行えば、“学年”と“組”の属性から６年３組（ｃｌａｓｓ６＿３）のグループが指定されたものと解釈され、そのグループに属する作品展示用デバイス、すなわち電子ペーパ４００（ＩＤが１から１２）の何れかに適当に割付けられ、展示表示される。図２５は、本発明の第５の実施形態における情報掲示システムに係るコマンドシートの例である。このような指定方法では、特定の展示位置にこだわりがないのであれば、ユーザは特に電子ペーパ４００のＩＤを意識する必要がないので、簡易な、そして、よりユーザフレンドリな展示処理機能として利用及び運用することができる。
【００７３】
またエイリアス（ａｌｉａｓ：別名）機能を使えば、図２５（Ｂ）に示されるように、展示位置指定に“クラス別”と指定することにより、図２５図（Ａ）を指定した時と同じ効果が得られ、また、ユーザにとってもこのような表現及び記述の仕方の方が、より感覚的で理解し易いので、さらにユーザフレンドリなものとなる。
【００７４】
さらに、本実施形態では、展示開始日と展示終了日を指定しており、展示期間に合わせた表示又は非表示の予約を行わせることもできる。ただし、この場合、展示開始のコントロールを画像形成装置１００側で行うか電子ペーパ４００側で行うかで実装が異なる。
【００７５】
前者の場合、表示開始日まで展示用画像データを装置内に保存しておき、装置が内蔵するタイマであるスケジューラのトリガによって、該当する電子ペーパ４００に対して転送処理が行われる。あるいは、展示用画像データはスキャン時に、即時に電子ペーパ４００に転送されるが、表示はされず、表示待機の状態となり、スケジューラ（装置内蔵タイマ）のトリガによって、表示コマンドが電子ペーパ４００に送られ、それによって表示がなされるという仕組みである。
【００７６】
一方、後者の場合、電子ペーパ４００は、ＲＴＣ（Real-Time Clock）を内蔵している必要があり、表示開始日に、自身のタイマをトリガとして展示用画像データを表示することとなる。なお、これまでの実施形態では、作品が展示される場所は１ヶ所に限っていたが、オリジナルの作品を展示する場合は、物理的に１つに制限されるため致し方ないが、本実施形態の展示は、基本的に複製品の展示であるため、そのような制限は意味をなさず、複製品展示ならではの利点となる。
【００７７】
さらに、展示位置指定として、例えば、展示位置：５、１２８と指定すれば、ＩＤ５はクラスにある電子ペーパ４００、ＩＤ１２８はホールにある電子ペーパ４００であるので、その両方に作品の展示表示が可能となる。展示位置の複数指定においても、例えば図２５（Ｃ）に示されるようなエイリアスによる指定ができるため、電子ペーパ４００のＩＤを意識させない展示表示が可能である。
【００７８】
図２５（Ｃ）のさらなる変形例としては、図２５（Ｄ）に示すように、展示開始日と展示終了日を展示位置毎に指定できる記述がある。この場合、クラスにある電子ペーパ４００の展示表示は、展示用画像データを転送した時点で行われるが、ホールにある電子ペーパ４００の展示表示は、“展示開始日”にならないと表示されない点が異なる。
【００７９】
なお、複数の展示位置を指定するには、別の実装方法も考えられ、例えば、展示場所ではなくカテゴリで指定するようにもできる。例えば、創作作品が優秀作品又は表彰作品に該当する作品であった場合、コマンド指定エリアに、例えば、展示指定：優秀作品や展示指定作品：佳作作品等と記載し、展示機能管理ファイルには、名前が“優秀作品”又は“佳作作品”のグループを登録しておけば、それぞれのカテゴリに対応付けられた電子ペーパ４００に表示させることができる。
【００８０】
また、本実施形態では、属性指定項目の区切りマークとして“：”（コロン）を使用しているが、スキャナによる走査時にゴミやノイズが紛れたり、また、これに伴うＯＣＲ読取時の解析ミスが誘発したりするような場合、“＠”（アットマーク）や“＃”（シャープ）等の区切りマークに設定変更し、切り替えて使用することも可能であり、本実施形態に限定されるものではない。
【００８１】
次に、本発明の第６の実施形態について説明する。これまでの実施形態では、所定の情報としての展示作品が書画等読み取りスキャナ１１０で取り込めるものに限られていた。しかしながら、工作物や彫刻、塑像等の創作作品においても、デジタルスチルカメラ等で撮像した画像を展示表示することが可能である。本実施形態では、図２６（Ａ）のコマンドシート１５に示されるように、「ファイル名」属性項目が記述されており、これは展示用画像データを、スキャナからではなく、電子ファイル化されて保存されている大容量記憶装置等から読み取ることを示している。
【００８２】
この実施形態では、電子ファイル名だけが指定されており、データファイルがどの記憶デバイスのどのような場所（パス）に格納されているかが記述されていない。このような場合、画像形成装置１００内蔵の大容量記憶装置から画像形成装置１００に着脱可能に装着されている携帯型の大容量記憶装置から画像形成装置１００に接続され、画像形成装置１００からは記憶装置と認識されるようなデジタルスチルカメラ等のような端末機器の順で、登録又は格納されている展示用画像データを探し出して、読み出す手順となっている。
【００８３】
該当するデータファイルが存在しない場合、図示しない警告メッセージが発せられ、動作を中止する。このような仕組みにしているのは、ユーザに情報掲示システム１のファイルシステムを意識させることなく、データファイルを容易に指定及びアクセスできるようにしている。もちろん、パスが指定されている場合、パスに保存されているデータファイルの読み取りが行われる。
【００８４】
このような実装の場合、作品（ファイル）毎に１枚のコマンドシートを用意せざるを得ないが、同図（Ｂ）に示すように、ファイル名にワイルドカード（＊印）等を使用すれば、１枚のコマンドシート１５で該当するすべてのファイルを読み出して、展示表示することが可能となる。ただし、この場合、どれが、誰の作品なのかを指定できないため、別途、ラベリング作業が必要となる。
【００８５】
ちなみに、同図（Ｃ）に示すように、画像形成装置に内蔵されているＨＤＤ２０７のファイルシステムの特定のディレクトリ、例えば＜ユーザ＞ディレクトリ下の＜ＥＰ１＞ディレクトリや＜ＥＰ２＞ディレクトリを、特定の電子ペーパ４００ＥＰ１やＥＰ２に対応付けておき、ディレクトリ下に置かれたファイルは、タイマ等のイベントトリガ又はユーザによるキー操作等によって、自動的に読み取られ、対応する電子ペーパ４００に転送され、表示されるような仕組みも考えられる。
【００８６】
ただし、このような仕組みにおいても、どの表示デバイスに表示するかの指定はできても、どれが、誰の作品なのかを指定することはできないので、展示処理機能として動作させるにはメタデータファイルを用意する等、さらなる工夫が必要となる。しかしながら、学級新聞や調査テーマの発表掲示、今月の目標等のスローガンの表示等、表示デバイスの別用途・別機能への適用においては、それなりの機能や効果を果たすと考えられる。
【００８７】
さらに、学校等の教育機関に限らず、オフィスや事業場等の環境においても、社内掲示板としての代替の他に、物品の一時仮置き場の張り紙等といった用途にも適用できる。後者の場合、張り紙の掲載期限までの残期間又は残時間により、表示デバイスの表示色を変える（例えば、１ヶ月以上は青、１週間以上は黄、期限切れは赤等）等、従来の紙の張り紙ではできなかった機能を持たせることができる。
【００８８】
なお、本実施形態では、情報掲示システム１が認識可能な展示用画像データのデータ形式が、ＪＰＥＧ（Joint Photographic Experts Group）等の画像ファイルに限られているため、このような指定になっているに過ぎず、他の形式であっても差し支えなく、本実施形態の画像ファイル形式に限定されるものではない。
【００８９】
この発明は、電子写真方式やインクジェット方式等作像エンジンを採用している複写機（ＰＰＣ：Plain Paper Copier）、複合機能プリンタ（ＭＦＰ：Multifunction Peripheral）等の他の画像形成装置にも適用可能である。
【００９０】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００９１】
１    情報掲示システム
２    領域指定手段
３    情報読み取り手段
４    コマンドシート解析手段
５    配信手段
６    表示手段
７    展示処理指定手段
８    制御手段
１２    展示レイアウト管理手段
１３    展示レイアウト印刷出力手段
１４    展示位置指定手段
１５    コマンドシート
１６    創作作品
２０    制御部
１００    画像形成装置
１０１    印刷ドラム
１０２    プレスローラ
１０３    製版部（プロッタ）
１０５    給紙手段
１０６    記録紙
１０７    マスタ
１０８    搬送手段
１０９    排紙手段
１１０    読み取りスキャナ
１１１    操作部（操作パネル）
１１３    切り替えキー
１１４    スタートキー
１１５    表示部（タッチパネル）
１１６    プリンタ設定キー
１１７    印刷位置調整キー
１１８    プリントスピード設定キー
１２１    切替部材
１２２    再給紙手段
１５０    インクジェットユニット
１５１    インクジェットＩ／Ｆ
２００    ＡＣＵ
２０２    ＮＩＣ
２０７    ＨＤＤ
２１２    ＮＩＣ  Ｉ／Ｆ
２１４    無線ＬＡＮ  Ｉ／Ｆ
２１５    ＥＣＵ  Ｉ／Ｆ
２１８、３２２    ＲＡＭ
２１７、３２３    ＲＯＭ
２２０、３２９    ＡＳＩＣ
２２１    Ｉ／Ｏ
２２２    ＦＡＸ  Ｉ／Ｆ
３００    ＥＣＵ
３２１    ＣＰＵ
３２４    ＡＣＵ  Ｉ／Ｆ
３２５    ＩＰＰ
３２６    スキャナＩ／Ｆ
３２８    プロッタＩ／Ｆ
４００    電子ペーパ
【先行技術文献】
【特許文献】
【００９２】
【特許文献１】特開２００３−１５０９３０号公報
【図１】
2014044666.tif 000003
【図２】
2014044666.tif 000004
【図３】
2014044666.tif 000005
【図４】
2014044666.tif 000006
【図５】
2014044666.tif 000007
【図６】
2014044666.tif 000008
【図７】
2014044666.tif 000009
【図８】
2014044666.tif 000010
【図９】
2014044666.tif 000011
【図１０】
2014044666.tif 000012
【図１１】
2014044666.tif 000013
【図１２】
2014044666.tif 000014
【図１３】
2014044666.tif 000015
【図１４】
2014044666.tif 000016
【図１５】
2014044666.tif 000017
【図１６】
2014044666.tif 000018
【図１７】
2014044666.tif 000019
【図１８】
2014044666.tif 000020
【図１９】
2014044666.tif 000021
【図２０】
2014044666.tif 000022
【図２１】
2014044666.tif 000023
【図２２】
2014044666.tif 000024
【図２３】
2014044666.tif 000025
【図２４】
2014044666.tif 000026
【図２５】
2014044666.tif 000027
【図２６】
2014044666.tif 000028